(57)【要約】      （修正有）【課題】デザイン性に優れると共に遊び的要素も盛り込み、かつ安価で装飾を交換できる三次元装飾パネルを提供する。【解決手段】三次元装飾パネルは、携帯通信端末２の背面２２を装飾するために用いられ、表面に所定の柄が印刷された基材シート４２を三次元形状に成形した三次元装飾シート４と、三次元装飾シート４に着脱自在に設けられた携帯通信端末２との固定手段であるバンパー３と両面テープ４１を備えることを特徴とする。【選択図】図４
0003182972.tif 000002
【実用新案登録請求の範囲】
【請求項１】
携帯通信端末の背面を装飾するために用いる三次元装飾パネルであって、
表面に所定の柄が印刷された基材シートを三次元形状に成形した三次元装飾シートと、
前記三次元装飾シートに着脱自在に設けられた携帯通信端末との固定手段と、
を備えることを特徴とする三次元装飾パネル。
【請求項２】
前記基材シートは、熱可塑性樹脂からなることを特徴とする請求項１記載の三次元装飾パネル。
【請求項３】
前記三次元装飾シートは、真空成形により前記柄に対応した凸凹部が形成されたことを特徴とする請求項２記載の三次元装飾パネル。
【請求項４】
前記三次元装飾シートは、前記柄に３Ｄ立体画像部が含まれることを特徴とする請求項１〜３のいずれか記載の三次元装飾パネル。
【請求項５】
前記固定手段は、少なくとも一つが前記三次元装飾シートの裏面のうち、携帯通信端末の背面と当接する部分の全部又は一部に設けられた弱粘性の両面テープであることを特徴とする請求項１〜４のいずれか記載の三次元装飾パネル。
【請求項６】
前記固定手段は、少なくとも一つが携帯通信端末の周側面を被覆する側壁部と、前記側壁部の正面側周縁及び背面側周縁から内向きに屈曲して形成された正面側係止部及び背面側係止部とを備え、携帯通信端末の背面と前記背面側係止部との間に前記三次元装飾シートの外周縁部を挟み込むバンパーであることを特徴とする請求項１〜５のいずれか記載の三次元装飾パネル。
【考案の詳細な説明】
【技術分野】
【０００１】
本考案は、携帯通信端末の背面に立体的な装飾を施すための三次元装飾パネルに関する。
【背景技術】
【０００２】
従来、スマートフォンに代表される携帯通信端末においてもデザインの意識が高まり、携帯通信端末用のケースの背面側（液晶画面が設けられている面の反対側の面）に装飾を施したものが現れ始めた。
【考案の概要】
【考案が解決しようとする課題】
【０００３】
しかし、これらの装飾は平面的なものでデザイン性に乏しく、特に需要者の遊び感覚を刺激するものは皆無であり、すぐに飽きてしまうものであった。
【０００４】
また、ケースに施される装飾はケースに一体成形されるので、装飾に飽きて変更したい時はケースごと購入して取り替える必要があり、経済的な負担が少なくなかった。
【０００５】
本考案は前記課題を解決するためになされたものであり、その目的は、デザイン性に優れると共に遊び的要素も盛り込み、かつ安価で装飾を変更できる三次元装飾パネルを提供することにある。
【課題を解決するための手段】
【０００６】
請求項１記載の考案は、携帯通信端末の背面を装飾するために用いる三次元装飾パネルであって、表面に所定の柄が印刷された基材シートを三次元形状に成形した三次元装飾シートと、前記三次元装飾シートに着脱自在に設けられた携帯通信端末との固定手段とを備えることを特徴とする三次元装飾パネルである。
【０００７】
請求項２記載の考案は、前記基材シートは、熱可塑性樹脂からなることを特徴とする請求項１記載の三次元装飾パネルである。
【０００８】
請求項３記載の考案は、前記三次元装飾シートは、真空成形により前記柄に対応した凸凹部が形成されたことを特徴とする請求項２記載の三次元装飾パネルである。
【０００９】
請求項４記載の考案は、前記三次元装飾シートは、前記柄に３Ｄ立体画像部が含まれることを特徴とする請求項１〜３のいずれか記載の三次元装飾パネルである。
【００１０】
請求項５記載の考案は、前記固定手段は、少なくとも一つが前記三次元装飾シートの裏面のうち、携帯通信端末の背面と当接する部分の全部又は一部に設けられた弱粘性の両面テープであることを特徴とする請求項１〜４のいずれか記載の三次元装飾パネルである。
【００１１】
請求項６記載の考案は、前記固定手段は、少なくとも一つが携帯通信端末の周側面を被覆する側壁部と、前記側壁部の正面側周縁及び背面側周縁から内向きに屈曲して形成された正面側係止部及び背面側係止部とを備え、携帯通信端末の背面と前記背面側係止部との間に前記三次元装飾シートの外周縁部を挟み込むバンパーであることを特徴とする請求項１〜５のいずれか記載の三次元装飾パネルである。
【考案の効果】
【００１２】
請求項１の三次元装飾パネルによれば、基材シートへの柄印刷時及び三次元装飾シートの成形加工時において、基材シートや三次元装飾シートはバンパー等の他の物品と分離しているため、印刷・成形加工時に余分な作業（例えば装飾を施さない部分をマスキングする作業）を省略できるので作業効率が上がる。その結果、趣向を凝らした高品質な装飾を施すことが可能になる。
【００１３】
請求項２の三次元装飾パネルによれば、基材シートが耐候性、表面硬度、立体成形性、透明性に優れる熱可塑性樹脂からなり、それによりＮＣ切削や真空成形などの後加工も可能となることから、デザインバリエーションの可能性を広げることができる。
【００１４】
請求項３の三次元装飾パネルによれば、三次元装飾シートが、ａ）射出成形に比べて小ロット多品種のものに対応でき、イニシャルコストも比較的抑えることが可能であり、ｂ）雄型成形品においては、型当たりしない面を製品表面にできるため、高光沢な製品の作成が可能であり、ｃ）表面加飾性に自由度が高い、等の効果を有する真空成形により三次元形状に加工されることから、基材シートに印刷された柄に細部まで対応した凸凹部を形成することが可能となる。
【００１５】
請求項４の三次元装飾パネルによれば、基材シートに元から印刷加工されていた３Ｄ立体画像部と、成形加工により物理的に隆起している凸凹部とのコラボレーションにより、立体感が強調されデザイン性を飛躍的に高めることができる。
【００１６】
請求項５の三次元装飾パネルによれば、携帯通信端末への三次元装飾シートの固定は両面テープの持つ弱い粘着力によるため、長期間使用した三次元装飾シートを変更する場合にもそれほど力を要せずに剥がすことができる。また、何度か貼り替えを行った後でも携帯通信端末の背面が接着剤の跡で汚れる心配は少ない。
【００１７】
請求項６の三次元装飾パネルによれば、携帯通信端末への三次元装飾シートの固定には携帯通信端末とバンパー間における挟力も作用するため、固定はより強固のものとすることができる。また、三次元装飾シートとバンパーとは別売りとすることが可能となり、装飾のみ変更したい需要者の購買意欲を向上させる効果が生じる。
【図面の簡単な説明】
【００１８】
【図１】本考案の三次元装飾パネルの使用状態を示す斜視図である。
【図２】本考案の三次元装飾パネルの使用前の状態を示す斜視図である。
【図３】本考案の三次元装飾パネルの第１の実施形態における断面図である。
【図４】本考案の三次元装飾パネルの第２の実施形態における断面図である。
【考案を実施するための形態】
【００１９】
以下、本考案の三次元装飾パネルの実施形態について、図面に基づいて具体的に説明する。
【００２０】
図１は本考案の三次元装飾パネルの使用状態を示す斜視図であり、図２は使用前の状態を示す斜視図である。また、図３は本考案の三次元装飾パネルの第１の実施形態における断面図であり、図４は第２の実施形態における断面図である。
【００２１】
本考案の三次元装飾パネル１は、携帯通信端末２の背面２２を被覆する三次元装飾シート４を主たる構成要素として備え、固定手段として第１の実施形態（図３）では両面テープ４１を、第２の実施形態（図４）では両面テープ４１とバンパー３とを備える。なお、本考案における携帯通信端末２としては、代表的には多機能携帯電話機（例えばスマートフォン）が挙げられる。
【００２２】
三次元装飾シート４は、装飾部材として平面視の形状及びサイズは被装飾部である携帯通信端末２の背面２２とほぼ同じに形成される。三次元装飾シート４の素材は、耐候性、表面硬度、立体成形性、透明性に優れ、かつＮＣ切削や真空成形などの後加工も可能な点においてアクリル（ＰＭＭＡ）樹脂、ポリカーボネート（ＰＣ）、ＡＢＳ樹脂など熱可塑性樹脂が好ましく、特にポリカーボネートが好適である。
【００２３】
図３の実施形態に係る三次元装飾シート４は、所定の柄（例えばアニメ等のキャラクター、迷路、天体図、スイーツ画像など。図示せず。）を印刷したポリカーボネートからなる基材シート４２を、柄に則して製作された金型を用いて真空成形加工を施して柄に対応した凸凹部４３を形成し、その後トリミングすることで完成する。基材シート４２への柄印刷の方法は特に限定されるものではなく、例えば、スクリーン印刷法やオフセット印刷法によって行われる。
【００２４】
図４の実施形態に係る三次元装飾シート４は、基材シート４２に３Ｄ印刷を施して３Ｄ立体画像部４４を形成する。具体的には、素材の表面に特殊マイクロレンズをスクリーン印刷により形成し、裏面には微細なドットパターン印刷を組み合わせることにより、素材とレンズを通して３Ｄ立体画像部４４が生まれる。これにより、３Ｄ立体画像部４４と凸凹部４３とのコラボレーションにより立体感が強調され、デザイン性が飛躍的に高まる。本実施形態に係る３Ｄ印刷には、美濃商事株式会社の印刷技術「ミノハート３Ｄ」が好適に使用される。
【００２５】
バンパー３は、側壁部３１と、側壁部３１の正面側周縁３２及び背面側周縁３３から内向きに屈曲して形成された正面側係止部３４及び背面側係止部３５とを備え、側壁部３１と正面側係止部３４と背面側係止部３５とで内向き凹形状を形成している。この凹部に携帯通信端末２の周側面２１が挟み込まれることにより携帯通信端末２はバンパー３に被覆される。背面側係止部３５は、携帯通信端末２の背面２２と共に三次元装飾シート４の外周縁を挟み込むのにも使用される。
【００２６】
バンパー３は、材質は特に限定されないが、工具などを必要とせずに手で引き伸ばして携帯通信端末２に装着できるように弾力のある材質であることが好まく、特にエラストマー樹脂又はシリコンが好適である。
【００２７】
三次元装飾シート４の携帯通信端末２への固定は、携帯通信端末２の背面２２とバンパー３の背面側係止部３５との間における挟力のみで行うことも、両面テープ４１の粘着力のみで行うことも可能であるが、固定をより確実にするためには両手段を併用するのが好ましい。この場合、三次元装飾シート４には前記挟力が作用するため、相対的に粘着力はそれほどの強さのものは求められず、弱粘性の両面テープで十分である。このため何度か貼り替えを行った後でも携帯通信端末２の背面２２が接着剤の跡で汚れてしまう心配は少ない。逆に、両面テープ４１のみでは固定が十分ではない場合には、両面テープ４１の下に薄いスポンジ（図示せず）を敷設してもよい。薄いスポンジとしては、例えばウレタンフォームの「ＰＯＲＯＮ」（登録商標）が好適に使用される。
【００２８】
本実施形態において、三次元装飾シート４に施される装飾の具体例としては、アニメ等のキャラクターの全部又は一部を凸凹部４３の凸の部分で描き、その背景描写に３Ｄ立体画像部４４を用いる構成が挙げられる。これによりキャラクターが携帯通信端末２の背面２２から飛び出してきたかのような迫力のあるデザインを実現でき、若者の購買意欲を向上させることが期待できる。
【００２９】
その他の三次元装飾シート４に施される装飾の具体例としては、凸凹部４３の凸の部分で迷路を構築し、迷路中にボールを配置した構成が挙げられる。これにより携帯通信端末２を上下左右に傾けてボールをゴールに向かって転がして迷路を楽しむことが可能となり、需要者の遊び感覚を刺激して購買意欲を向上させることが期待できる。
【００３０】
その他の三次元装飾シート４に施される装飾の具体例としては、天体図を近傍の大きな天体を凸凹部４３の凸の部分で、遠方の天体や小さな天体は凹の部分で描き、これに３Ｄ立体画像部４４を組み合わせることにより、あたかも天体模型であるかのようにした構成が挙げられる。さらに、これに蓄光印刷を組み合わせれば昼と夜で違う顔を表現することも可能であり、単なるおしゃれ感覚を超えた美的鑑賞性を求める需要者の購買意欲を向上させることが期待できる。
【００３１】
その他の三次元装飾シート４に施される装飾の具体例としては、凸凹部４３の凸の部分でスイーツを描いたうえで、ラインストーンやデザインシールを貼り付けたり、さらに転写シールで展開性を持たせたりすることにより、デザイン性とスイーツを求める女性の購買意欲を向上させることが期待できる。
【符号の説明】
【００３２】
１    三次元装飾パネル
２    携帯通信端末
３    バンパー
４    三次元装飾シート
２１    周側面
２２    背面
３１    側壁部
３２    正面側周縁部
３３    背面側周縁部
３４    正面側係止部
３５    背面側係止部
４１    両面テープ
４２    基材シート
４３    凸凹部
４４    ３Ｄ立体画像部
【図１】
0003182972.tif 000003
【図２】
0003182972.tif 000004
【図３】
0003182972.tif 000005
【図４】
0003182972.tif 000006